(57)【要約】【課題】蓋部材のロック解除を簡単にできないようにした。【解決手段】ダストボックス１の開口を有する本体部２と開口を開閉可能な蓋部材４との間に形成した間隙Ｋ内に、スライド可能な操作棒１１を設けた。蓋部材４は、ロック解除のための操作棒１１の２方向移動をガイドする垂直溝部及び水平溝部を有するガイド溝１２を備えており、操作棒１１にはガイド溝１２に挿入されたレバー１１ａを有する。レバー１１ａがガイド溝１２の垂直溝部の下端部にあるロック位置で、操作棒１１はラッチ部材１８の当接部１８ｂに当接し、ラッチ部材１８のラッチ係止部２０が本体部２に設けた係止部７に係合し、蓋部材４を開放できない。操作棒１１のレバー１１ａが水平溝部の端部にあるロック解除位置で、操作棒１１はラッチ部材１８の当接部１８ｂから外れてラッチ係止部２０が係止部７から外れ、蓋部材４を開放できる。【選択図】図２
2018058657.tif 000002
【特許請求の範囲】
【請求項１】
開口を備えた本体部と、
前記本体部に対して開口を開閉可能な蓋部材と、
前記蓋部材の前面より後方に設けられていて前記蓋部材のロックを解除可能な操作部材と、
を備えたことを特徴とする収納箱。
【請求項２】
前記操作部材は前記蓋部材と本体部の間に形成された間隙内に設けられている請求項１に記載された収納箱。
【請求項３】
前記蓋部材のロック解除のための前記操作部材の１方向または２方向の移動をガイドするガイド部を備えており、ロック解除位置で前記蓋部材を開放可能とした請求項１または２に記載された収納箱。
【請求項４】
前記ガイド部には、ロック解除できない位置に前記操作部材を移動可能なダミーガイド部が更に形成されている請求項３に記載された収納箱。
【請求項５】
前記ガイド部には、ロック解除位置に前記操作部材を係止させる開放固定ガイド部が更に形成されている請求項３または４に記載された収納箱。
【請求項６】
前記ガイド部は、前記操作部材をロック解除予備位置に移動させる第一ガイド部と、前記操作部材をロック解除予備位置からロック解除位置まで移動させる第二ガイド部とを備えていて、
前記蓋部材のロック位置で前記本体部に係合すると共にロック解除位置で前記本体部との係合を解除するラッチ部材を前記蓋部材に備えている請求項３から５のいずれか１項に記載された収納箱。
【発明の詳細な説明】
【技術分野】
【０００１】
本発明は、例えば本体部と開閉可能な蓋部材との間に設けた錠装置を有するダストボックス等の収納箱に関する。
【背景技術】
【０００２】
従来、マンション等における居住者用のダストボックスには開閉を規制する種々の錠装置が設置されている。例えば特許文献１に記載された錠装置では、ダストボックスの箱本体の上部の開口部を開閉可能な蓋部材が設置されている。箱本体の前面に固定されたスペーサ部材に係合用凹部を有する受け部が設けられ、蓋部材には軸状部で回転可能に支持されたレバー及びこのレバーに設けた軸部に回転可能に支持されたアーム部に掛け部が設けられている。
アーム部の掛け部には受け部の凹部に係合可能な係合ロッドが設けられている。しかも、蓋部材の係合ロッドを受け部の凹部に係合した状態でカバー部材が掛け部の前側を覆っている。
【先行技術文献】
【特許文献】
【０００３】
【特許文献１】特開２０１０−２２２８５８号公報
【発明の概要】
【発明が解決しようとする課題】
【０００４】
しかしながら、上述した特許文献１に記載の錠装置では、カバー部材があっても、誰でも錠装置の構造を目視できる上に、アーム部とレバーの操作で錠装置の係合ロッドを凹部から外して蓋部材を解錠することが容易であった。そのため、夜間等にマンションの居住者以外の第三者がダストボックスの蓋部材を勝手に開けてごみ袋等を不法投棄する行為が行われることがあった。このようなごみ袋の不法投棄を抑制するために、夜間の見回りや監視カメラの設置等による対策費がかさんでいた。
【０００５】
本発明は、このような課題に鑑みてなされたものであって、蓋部材のロック解除を簡単にできないようにした収納箱を提供することを目的とする。
【課題を解決するための手段】
【０００６】
本発明による収納箱は、開口を備えた本体部と、本体部に対して開口を開閉可能な蓋部材と、蓋部材の前面より後方に設けられていて蓋部材のロックを解除可能な操作部材と、を備えたことを特徴とする。
本発明によれば、蓋部材の前面から見えにくい位置に操作部材を設けたため、錠装置のロック解除手順を知らない第三者が操作部材を操作してロック解除することが困難であり、蓋部材の開放操作を防止できる。
【０００７】
また、操作部材は蓋部材と本体部の間に形成された間隙内に設けられていることが好ましい。
間隙内に操作部材を設けたことで、第三者が間隙内の操作部材を容易に認識できずロック解除操作を行うことが困難になる。
【０００８】
また、蓋部材のロック解除のための操作部材の１方向または２方向の移動をガイドするガイド部を備えており、ロック解除位置で蓋部材を開放可能としてもよい。
蓋部材の前面より後方の見えにくい位置に操作部材を設け、しかも操作部材はロック解除のためにガイド部に沿って１方向または２方向に操作する必要があるため、第三者は容易に操作部材を操作してロック解除することができない。なお、操作部材を操作するための１方向または２方向とは操作者の手の挿入方向と異なる方向を含むことが好ましい。
【０００９】
また、ガイド部には、ロックを解除できない位置に操作部材を移動可能なダミーガイド部が更に形成されていることが好ましい。
錠装置のロック解除方法を知らない第三者が操作部材を操作したとしても、ダミーガイド部に誘導することでロックの解除を防止できる。
【００１０】
また、ガイド部には、ロック解除位置に操作部材を係止させる開放固定ガイド部が更に形成されていてもよい。
操作部材を開放固定ガイド部に係止させることで、蓋部材のロック解除状態に保持できるため容易に蓋部材を開放できる。
【００１１】
また、ガイド部は、操作部材をロック解除予備位置に移動させる第一ガイド部と、操作部材をロック解除予備位置からロック解除位置まで移動させる第二ガイド部とを備えていて、蓋部材のロック位置で本体部に係合すると共にロック解除位置で本体部との係合を解除するラッチ部材を蓋部材に備えていることが好ましい。
本発明では、操作部材をガイド部の第一ガイド部及び第二ガイド部に沿って移動させることでロック解除位置に保持し、ラッチ部材を本体部から離脱させて蓋部材を開放させることができる。
【発明の効果】
【００１２】
本発明に係る収納箱によれば、蓋部材の前面から見えにくい後方に操作部材を設けたため、例えば錠装置の構造を知らない第三者が操作部材をロック解除のために操作することが困難でロック解除を簡単に行えず、蓋部材の開放操作を防止できる。
【図面の簡単な説明】
【００１３】
【図１】本発明の実施形態によるダストボックスの斜視図である。
【図２】図１に示すダストボックスの間隙部分のロック機構を示すＡ−Ａ線縦断面図である。
【図３】図２に示すロック機構のロック状態を示す要部正面図である。
【図４】図３に示すガイド溝の拡大図である。
【図５】図３に示すロック機構のロック解除状態を示す要部正面図である。
【図６】蓋部材の前面を裏面側から見たロック機構の要部斜視図である。
【図７】図１に示すダストボックスの間隙からロック機構のレバーを押す状態を示す説明図である。
【図８】実施形態の変形例によるガイド溝を示す図であり、（ａ）は第二変形例によるガイド溝、（ｂ）は第三変形例によるガイド溝の図である。
【発明を実施するための形態】
【００１４】
以下、本発明の実施形態によるダストボックス１とその錠装置２４を添付図面によって説明する。
図１は収納箱の一例として実施形態による箱状のダストボックス１を示すものであり、本体部２と蓋部材４を有している。このダストボックス１は例えばごみ袋を投入する本体部２の前面２ａと上面２ｂとに亘って開口１ａが形成されている。開口１ａを塞ぐ蓋部材４は前面４ａと上面４ｂとで略Ｌ字型板状に形成され、裏面側に設けた図示しないヒンジ部によって本体部２の開口１ａを開閉可能とされている。
しかも、蓋部材４の前面４ａには取っ手３が固定されている。蓋部材４の前面４ａの下部に凸部４ｃが設けられ、この凸部４ｃが本体部２の前面２ａの上部に当接することで、閉鎖位置にある蓋部材４の前面４ａとの間に小幅の間隙Ｋが形成されている。
【００１５】
図２に示すダストボックス１内に設けた間隙Ｋの後方のロック機構において、本体部２の前面２ａを形成する板枠部６の裏面側には断面略フック状の係止部７が下向きに固定されている。本体部２の前面２ａに対して間隙Ｋを挟んで上側に蓋部材４の前面４ａを形成する板枠部８が設けられている。この板枠部８の裏側に、図６に示すように第一ボックス９と第二ボックス１０が互いに直交して固定されている。図６は開放した蓋部材４の前面４ａの裏面に形成した板枠部８に固定した第一ボックス９と第二ボックス１０を示している。第一ボックス９及び第二ボックス１０の内部構造が図２乃至５に開示されたロック機構を有している。
【００１６】
図２及び図３に示すように、第一ボックス９内の下端角部に、ロック機構の操作部材として操作棒１１が回転可能及びスライド可能に水平方向に取り付けられている。この操作棒１１にはその長手方向に略直交してレバー１１ａが突出形成されている。
図２乃至図６に示すように、第一ボックス９の裏面９ａには略Ｌ字状のガイド溝１２がガイド部として形成され、このガイド溝１２内に操作棒１１のレバー１１ａが突出して移動をガイドする(図６参照)。図４に示すように、ガイド溝１２は上下方向に延びる垂直溝部１２ａと横方向に延びる水平溝部１２ｂが一体形成され、垂直溝部１２ａの上端部で水平溝部１２ｂと連結されている。
【００１７】
図３及び図４に示すように、レバー１１ａが垂直溝部１２ａの下端部に位置するときには操作棒１１はロック状態にあり、水平溝部１２ｂの垂直溝部１２ａと反対側端部に位置する時にロック解除状態にあるものとする。操作棒１１は第一ボックス９の裏面９ａの内壁に植設された固定ピン１４に一端が係止された第一弾性部材としての第一コイルばね１５の他端が係止されている。これによって操作棒１１はロック状態の位置に付勢されている。ロック状態にある操作棒１１のレバー１１ａはガイド溝１２の垂直溝部１２ａの下端部に当接している。
【００１８】
第二ボックス１０の内部構造が図２乃至図５に開示されている。図２に示すように、第二ボックス１０内には板状のラッチ部材１８が上下方向に設けられている。第二ボックス１０の側壁に植設された回動軸１９がラッチ部材１８の長穴１８ａに嵌挿されて、ラッチ部材１８が横方向に進退可能及び上下に回動可能に支持されている。このラッチ部材１８の上端部前面側に設けた当接部１８ｂがロック状態にある操作棒１１に当接している。ラッチ部材１８の下端部前面側には、本体部２の係止部７に係合可能なラッチ係止部２０が突出して形成されている。
【００１９】
しかも、ラッチ部材１８のラッチ係止部２０に対向する裏面側には係合突部１８ｃが突出形成され、係合突部１８ｃに対向する第二ボックス１０の内側壁には締結ボルト２１が固定されている。係合突部１８ｃと締結ボルト２１との間には第二弾性部材としての第二コイルばね２２が伸長状態で係止されている。これによって、ラッチ部材１８は回動軸１９と長穴１８ａとによって進退可能で回動軸１９回りに回動可能であり、しかも第二コイルばね２２によって図２で反時計回り、即ちラッチ係止部２０が係止部７から離間する方向に付勢されている。
上述した操作棒１１、ガイド溝１２、ラッチ部材１８、係止部７、第一コイルばね１５、第二コイルばね２２等の各部材は、本実施形態によるダストボックス１の錠装置２４を構成する。この錠装置２４はからくり錠である。
【００２０】
図６において、第一ボックス９の裏面下部に形成したガイド溝１２の垂直溝部１２ａの下端部から操作棒１１のレバー１１ａが突出している。そして、操作棒１１の一端部は隣接する第二ボックス１０の側壁に形成した孔１０ａを貫通して内部に延びており、この一端部が第二ボックス１０内のラッチ部材１８の当接部１８ｂに当接したロック状態にある。
そのため、ロック状態で、蓋部材４に保持されたラッチ部材１８のラッチ係止部２０が本体部２の係止部７に係止されており、蓋部材４が本体部２から開放作動することを阻止している。
【００２１】
本実施形態による錠装置２４を備えたダストボックス１は上述した構成を備えており、次にそのロック解除方法について説明する。
ダストボックス１は図１に示すように、蓋部材４が本体部２の開口１ａを閉鎖させた閉鎖状態にある。図２及び図３に示すように、ラッチ部材１８の当接部１８ｂに操作棒１１の端部が当接し、蓋部材４内のラッチ部材１８のラッチ係止部２０が本体部２内の係止部７に係止された状態に保持されている。
この状態で、マンションの居住者以外の第三者がごみ袋の不法投棄等のために、ダストボックス１の蓋部材４の取っ手３を持ち上げても蓋部材４はラッチ部材１８のラッチ係止部２０が本体部２の係止部７に係止しているため、開放できない。しかも、本体部２と蓋部材４の間の間隙Ｋ内に操作棒１１が隠れているため、開放操作の仕方がわかりにくい。
【００２２】
なお、図７に示すように、第三者が蓋部材４の開放操作のために仮に間隙Ｋ内に手を突っ込んだとして、手を延ばしたはずみで操作棒１１のレバー１１ａを押して操作棒１１を回転させたとしても、レバー１１ａはガイド溝１２の垂直溝部１２ａにおいて下端部から上端部に移動するにすぎない。操作棒１１を手を突っ込む方向と異なる横方向のラッチ部材１８から離間する方向に移動させない限り、蓋部材４のロックを解除できない。
しかも、操作棒１１は第一コイルばね１５の付勢力によってラッチ部材１８の当接部１８ｂに当接する位置に付勢されているため、操作棒１１は当接部１８ｂから簡単には外れない。そのため、錠装置２４のロック解除手順を知らない第三者が蓋部材４を開けようとしても操作棒１１のラッチ部材１８に対するロックを容易に解除できない。
【００２３】
次に、錠装置２４の操作方法を知っているマンションの居住者等によるロック解除方法について説明する。
図１に示すダストボックス１において、図２及び図３に示す錠装置２４のロック状態から、図７に示すように間隙Ｋ内に手を挿入して指でレバー１１ａを押してガイド溝１２の垂直溝部１２ａ内で下端部から上端部まで回動させることで、操作棒１１を回転させる。この位置が操作棒１１及びレバー１１ａのロック解除予備位置である。
そして、レバー１１ａを押した状態でレバー１１ａをガイド溝１２の水平溝部１２ｂに沿って端部まで摺動させることで、第一コイルばね１５の付勢力に抗して操作棒１１をラッチ部材１８から離れる方向にスライドさせる。これによって、図５に示すように、ラッチ部材１８の当接部１８ｂから操作棒１１が外れる。この位置が操作棒１１及びレバー１１ａのロック解除位置である。
【００２４】
すると、図２に示すラッチ部材１８は第二コイルばね２２の付勢力によって回動軸１９を中心に反時計回りに回動し且つ回動軸１９にガイドされて長穴１８ａが係止部７から離れる方向にスライドする。これによって、ラッチ部材１８は当接部１８ｂが操作棒１１側に回動すると共にラッチ係止部２０が係止部７から後退するため、蓋部材４は本体部２の開口１ａから開放可能となる。そして、居住者等が蓋部材４を持ち上げることで本体部２から離間して開口１ａを開放できる。
ダストボックス１の開口１ａ内にごみ袋等を投入する際、ラッチ部材１８や操作棒１１等は蓋部材４に取り付けているため上方に逃げている。本体部２の開口１ａ近傍には略Ｌ字状に屈曲した係止部７だけが残るため、ビニール製のゴミ袋を錠装置２４の部品に引掛けて破れるおそれを低減できる。なお、係止部７を本体部２の前面２ａにおける間隙Ｋより下側に設ければ更にゴミ袋の破損を防止できる。
【００２５】
なお、蓋部材４の開放によって、操作棒１１はレバー１１ａと一体に第一コイルばね１５の付勢力で戻されて回転したラッチ部材１８に当接する。その後、蓋部材４を開口１ａの閉鎖位置に戻すと、前面側に傾斜したラッチ部材１８は係止部７に当接して押されるために第二コイルばね２２の付勢力に抗して回動軸１９回りに時計回りし、長穴１８ａが回動軸１９に沿って前進して起立姿勢に戻り、第一コイルばね１５の付勢力でロック位置に戻された操作棒１１にラッチ部材１８の当接部１８ｂが当接する。
これと同時に、ラッチ係止部２０が係止部７を巻くように時計回りに回動して係止位置に戻り、長穴１８ａの奥側端部が回動軸１９に当接して回動を停止させる。また、操作棒１１のレバー１１ａも第一コイルばね１５の付勢力でガイド溝１２の垂直溝部１２ａに沿って回動させられ、垂直溝部１２ａの下端部に当接してロック位置で停止する。
このような動作を繰り返すことで、本体部２に対する蓋部材４の開放と閉鎖を繰り返すことができる。
【００２６】
上述したように本実施形態による錠装置２４を備えたダストボックス１によれば、蓋部材４や本体部２の前面４ａ、２ａ間の空隙Ｋ内に操作棒１１を設け、更に操作棒１１とラッチ部材１８の当接部１８ｂを係合させたため、錠装置２４のロック解除方法を知らない第三者は空隙Ｋ内のレバー１１ａ等を目視しにくく錠装置２４の開放操作が困難である。しかも、操作棒１１をロック解除位置に移動させるには手の挿入方向と異なる水平溝部１２ｂの方向にレバー１１ａを移動させなければならない。そのため、蓋部材４の開放とごみ袋等の不法投棄を防止できる。
しかも、錠装置２４のロック機構を知った関係者であれば、空隙Ｋ内に手を延ばしてガイド溝１２に沿ってレバー１１ａを押して横にスライドする２方向の操作によって、操作棒１１とラッチ部材１８の係合を解除して解錠させて蓋部材４を開放させることができる。
また、蓋部材４に錠装置２４の操作棒１１及びラッチ部材１８を設置したため、蓋部材４の開放時に本体部２の開口１ａには係止部７だけが残り、ごみ袋等を投入する際に錠装置２４の部品を引掛けて引き裂く等の不具合を低減できる。
【００２７】
なお、本発明による錠装置２４を備えたダストボックス１は、上述した実施形態に限定されるものではなく、本発明の趣旨を逸脱しない範囲で適宜の変更や置換等が可能である。以下に、本発明の変形例等について説明するが、上述した実施形態で説明した部品や部材等と同一または同様なものについては同一の符号を用いて説明を省略する。
【００２８】
例えば、上述した実施形態ではガイド溝１２に沿った２方向の操作によって錠装置２４のロックを解除し、蓋部材４を開放可能としたが、これに代えて第一変形例として、ガイド溝１２を例えば水平溝部１２ｂだけで構成して、横方向にレバー１１ａを操作するだけでロック解除可能としてもよい。
この場合でも、レバー１１ａやガイド溝１２が空隙Ｋ内に隠れており、手の挿入方向と異なる横方向の操作によってロック解除可能であること等により、錠装置２４のロック解除方法を知らない第三者が空隙Ｋ内の操作棒１１による錠装置２４のロック解除操作を行うことは困難である。
【００２９】
次に第二変形例による錠装置２４を図８（ａ）により説明する。
本第二変形例では、略Ｌ字型のガイド溝１２に代えて略コの字型のガイド溝２６を設けた。このガイド溝２６は実施形態と同様にレバー１１ａが挿入されており、垂直溝部１２ａと水平溝部１２ｂに加えて更に垂直方向に延びる開放固定溝部２６ａを開放固定ガイド部として形成した。
レバー１１ａを垂直溝部１２ａと水平溝部１２ｂに沿って操作した後、開放固定溝部２６ａに摺動させると、操作棒１１に第一コイルばね１５の付勢力が働いてもレバー１１ａを開放固定溝部２６ａに係止することができる。そのため、操作棒１１をラッチ部材１８から外した位置に保持できて、当接部１８ｂに当接する位置まで戻すことを阻止できる。
このような構成を採用すれば、例えば掃除の際やごみ回収日等において、多くの居住者等がレバー１１ａを操作することなく取っ手３によって蓋部材４を繰り返し開放できて便利である。
【００３０】
次に第三変形例による錠装置２４を図８（ｂ）により説明する。
本第三変形例では、略コの字型（略Ｌ字型でもよい）のガイド溝２６に加えて、垂直溝部１２ａの延長状に例えば略Ｔ字型または略Ｌ字型や略Ｉ字型のダミー溝部２８を設けたガイド溝２９を備えている。本第三変形例では、からくり錠を知らない第三者が間隙Ｋ内に手を挿入して探っている間に、偶然、レバー１１ａを垂直溝部１２ａに沿って操作したとしても、ダミー溝部２８内にレバー１１ａが進入して係止等されるため、操作棒１１のロック解除操作が阻止される。
そのため、本第三変形例の場合では、第三者が空隙Ｋ内に手を入れて試行錯誤で探っているうちに誤ってレバー１１ａを操作した場合でも、ダミー溝部２８に誘導することで操作棒１１のロック解除を防止できる。
なお、ガイド溝１２、２６、２９はレバー１１ａの摺動をガイドするガイド部を構成する。この場合、垂直溝部１２ａが第一ガイド部、水平溝部１２ｂが第二ガイド部である。ダミー溝部２８はダミーガイド部である。
【００３１】
また、上述した実施形態では、ダストボックス１の本体部２と蓋部材４の間に間隙Ｋを設けて、その奥側に操作棒１１及びレバー１１ａやラッチ部材１８等の錠装置２４を設けたが、必ずしも間隙Ｋを形成しなくてもよい。例えば、本体部２の前面２ａよりも蓋部材４の前面４ａを前方に突出させて、蓋部材４の下面側で本体部２との間に錠装置２４を設けてもよい。
【００３２】
なお、上述した実施形態や各変形例では、錠装置２４を備えたダストボックス１について説明したが、本発明はダストボックス１に限定されることなく、郵便箱やその他の収納箱にも適用できる。また、本体部２に対して蓋部材４を上方向に開放操作する場合について述べたが、蓋部材４を下方向に開放操作する場合や、横方向に開放操作する場合にも適用できる。
特に横方向に蓋部材４を開放操作する場合、操作棒１１とラッチ部材１８の配置や空隙Ｋの配置は縦方向と横方向が逆になる構成を採用することができる。しかも、ガイド溝１２においても垂直溝部１２ａが水平溝部として配置され、水平溝部１２ｂが垂直溝部として配置される。
【符号の説明】
【００３３】
１  ダストボックス
１ａ  開口
２  本体部
４  蓋部材
７  係止部
１１  操作棒
１１ａ  レバー
１２、２６、２９  ガイド溝
１５  第一コイルばね
１８  ラッチ部材
１８ｂ  当接部
１９  回動軸
２０  ラッチ係止部
２２  第二コイルばね
２４  錠装置
２６ａ  開放固定溝部
２８  ダミー溝部  
Ｋ  空隙
【図１】
2018058657.tif 000003
【図２】
2018058657.tif 000004
【図３】
2018058657.tif 000005
【図４】
2018058657.tif 000006
【図５】
2018058657.tif 000007
【図６】
2018058657.tif 000008
【図７】
2018058657.tif 000009
【図８】
2018058657.tif 000010